(57)【要約】【課題】部品点数削減、小型化、簡易構造化、低コスト化を実現し、表裏両面の全ての角折れ片を矯正できる角折れ矯正装置を提供する。【解決手段】搬送される紙葉１００の一面に接する湾曲案内凸面を備えたローラ１０、２０、３０と、ローラと協働して紙葉の通過を許容する湾曲路Ｇ１、Ｇ２、Ｇ３を形成しつつ該紙葉の他面をガイドする湾曲案内凹面を備えた外側ガイド部材５０、６０、７０と、外側ガイド部材の搬送方向の端部に設けられた角折れ矯正部５１ａ、６１ａ、６１ｂ、７１ａと、湾曲路内に導入した紙葉を湾曲路内で正方向と逆方向の双方向に搬送するローラ１０、２０、３０と、を備える。【選択図】図１
2019014592.tif 000002
【特許請求の範囲】
【請求項１】
搬送される紙葉の一面に接する湾曲案内凸面を備えた第一湾曲搬送ガイド部材と、
前記湾曲案内凸面と協働して前記紙葉の通過を許容する湾曲路を形成しつつ該紙葉の他面をガイドする湾曲案内凹面を備えた第二湾曲搬送ガイド部材と、
前記第二湾曲搬送ガイド部材の搬送方向の端部に設けられた角折れ矯正部と、
前記湾曲路内に導入した紙葉を湾曲路内で正方向と逆方向の双方向に搬送する搬送手段と、
を備えたことを特徴とする紙葉の角折れ矯正装置。
【請求項２】
前記第一湾曲搬送ガイド部材は、一個、又は並行に配置された複数の回転自在なローラであり、該ローラを回転駆動することにより紙葉を前記正方向と逆方向の双方向に搬送することを特徴とする請求項１に記載の紙葉の角折れ矯正装置。
【請求項３】
前記第一湾曲搬送ガイド部材は、回転しないことを特徴とする請求項１に記載の紙葉の角折れ矯正装置。
【請求項４】
前記第一湾曲搬送ガイド部材は、板状部材であることを特徴とする請求項３に記載の紙葉の角折れ矯正装置。
【請求項５】
回転軸が並行となるように並列に配置された３個の前記第一湾曲搬送ガイド部材と、前記各第一湾曲搬送ガイド部材に配置された前記第二湾曲搬送ガイド部材と、を備え、
搬送方向両端に位置する２個の前記第一湾曲搬送ガイド部材に夫々配置された各前記第二湾曲搬送ガイド部材は搬送方向の外側端縁に前記角折れ矯正部を夫々備え、
中央に位置する前記第一湾曲搬送ガイド部材に配置された前記第二湾曲搬送ガイド部材は搬送方向の両端縁に前記角折れ矯正部を夫々備えていることを特徴とする請求項１又は２に記載の紙葉の角折れ矯正装置。
【請求項６】
回転軸が並行となるように並列に配置された２個の前記第一湾曲搬送ガイド部材と、前記各第一湾曲搬送ガイド部材に配置された前記第二湾曲搬送ガイド部材と、を備え、
前記各第一湾曲搬送ガイド部材に配置された前記各第二湾曲搬送ガイド部材は搬送方向両端縁に前記角折れ矯正部を夫々備えていることを特徴とする請求項１又は２に記載の紙葉の角折れ矯正装置。
【請求項７】
前記第一湾曲搬送ガイド部材に設けた開口を介して前記湾曲路内の紙葉の一面と接触する前記搬送手段を備え、
前記第一湾曲搬送ガイド部材は搬送方向両端縁に角折れ矯正部を備えていることを特徴とする請求項３又は４に記載の紙葉の角折れ矯正装置。
【請求項８】
前記角折れ矯正部は、遊端側へ向かう程幅がテーパー状に漸減するエッジ部であることを特徴とする請求項１乃至７の何れか一項に記載の紙葉の角折れ矯正装置。
【請求項９】
前記角折れ矯正部は、前記湾曲搬送ガイド部材の湾曲路形成面に向けて突出する複数の突起を備えたブラシであることを特徴とする請求項１乃至７の何れか一項に記載の紙葉の角折れ矯正装置。
【請求項１０】
前記角折れ矯正部は、前記湾曲搬送ガイド部材の湾曲路形成面に向けて突出する突出片であることを特徴とする請求項１乃至７の何れか一項に記載の紙葉の角折れ矯正装置。
【請求項１１】
請求項１乃至１０の何れか一項に記載の紙葉の角折れ矯正装置による紙葉の角折れ矯正方法であって、
前記湾曲路内に前記紙葉を導入し、該紙葉を一方向に搬送して該紙葉の一端にある角折れ片を該角折れ片に対応する前記角折れ矯正部により矯正してから、前記紙葉を逆方向に搬送して該紙葉の他端にある角折れ片を該角折れ片に対応する他の前記角折れ矯正部により矯正することを特徴とする紙葉の角折れ矯正方法。
【請求項１２】
請求項１乃至１０の何れか一項に記載の紙葉の角折れ矯正装置と、
前記湾曲路内に紙葉を供給する紙葉供給手段と、
前記湾曲路内に供給された前記紙葉を前記正方向と逆方向の双方向へ搬送するように前記搬送手段を駆動する駆動手段を制御する制御手段と、を備えたことを特徴とする紙葉取扱装置。
【発明の詳細な説明】
【技術分野】
【０００１】
本発明は紙幣等の紙葉に形成される角折れ片をシンプルな構成によって効率的に修正することができる紙葉の角折れ矯正装置、該装置による紙葉の角折れ矯正方法、及び紙葉取扱装置に関する。
【背景技術】
【０００２】
多量の現金を取り扱う金融機関、電鉄駅、大規模小売店、テーマパーク、公営ギャンブル場等の各種施設では、紙幣の計数、仕分け、収納、払出し等の各種処理を自動化した紙幣取扱装置が設置されている。
角隅部に角折れがある紙幣は紙幣取扱装置内で紙詰まり等々の不具合を起こす原因となるため受け容れることができず、識別の段階でリジェクト処理して機外に排出し、角折れ部を平坦化してから装置に再投入することとなる。角折れ部を平坦化する処理を人手によって実施すると、処理枚数が多い場合に作業効率が低下する。このため、紙幣の角折れ部を自動的に平坦化する装置が種々開発されている。
【０００３】
特許文献１に係る紙幣修復装置は、複数本の修復棒の一端を傘の骨のように束ねると共に各修復棒の先端部で紙幣面上を摺動する際に角折れ部を引っ掛けるようにして開き平らに戻すことにより修復機能を発揮する構成が開示されている。
しかしながら、この構成では修正機能が紙幣の片面のみに作用する為、裏面へ折れ曲がった角折れ部を修復することができない。また、構成、及び動作が複雑であり、大型化、高コスト化を招くことが明らかである。
特許文献２に係る紙幣しわ伸し装置によれば、紙幣の搬送方向に向かって平面視で八の字型に拡開する形状のブラシ体、及びしわ伸ばしブロックが上下に接離自在に配置され、紙幣を両部材間で挟みながら搬送することにより搬送方向後端側の角折れ部が引き起こされるとともに、上下から挟む圧力で紙幣のしわが伸ばされる。
しかし、ブラシ体はしわ伸ばしブロックの上流側に配置されるため、ブラシ体のコシが強いと、しわ伸ばしされる前の紙幣の折れ跡を通過する際にブラシ体が搬送抵抗となり搬送紙幣の斜行や紙幣詰まりを引き起こす虞がある。一方、ブラシ体のコシが弱いと角折れ部を起こす効果が低下してしまう。また、ブラシ体は紙幣と接触して擦れる為、摩耗や変形など耐久性に懸念があり、このような条件を全て満たすブラシ体の選定は難しい。
特許文献３、及び特許文献４にも折れ曲がり部を修正するための構成が開示されているが、何れも部品点数の増加、大型化、高コスト化という不具合がある。
【先行技術文献】
【特許文献】
【０００４】
【特許文献１】特開昭６３−１４７７６６号公報
【特許文献２】実公昭６２−００６０４９号公報
【特許文献３】特開２０１０−１８４８１２公報
【特許文献４】特開平５−１４７８０４号公報
【発明の概要】
【発明が解決しようとする課題】
【０００５】
本発明は上記に鑑みてなされたものであり、部品点数削減、小型化、簡易構造化、低コスト化を実現し、表裏両面の全ての角折れ片を矯正できる角折れ矯正装置を提供することを目的とする。
【課題を解決するための手段】
【０００６】
上記の課題を解決するために、請求項１に記載の発明は、搬送される紙葉の一面に接する湾曲案内凸面を備えた第一湾曲搬送ガイド部材と、前記湾曲案内凸面と協働して前記紙葉の通過を許容する湾曲路を形成しつつ該紙葉の他面をガイドする湾曲案内凹面を備えた第二湾曲搬送ガイド部材と、前記第二湾曲搬送ガイド部材の搬送方向の端部に設けられた角折れ矯正部と、前記湾曲路内に導入した紙葉を湾曲路内で正方向と逆方向の双方向に搬送する搬送手段と、を備えたことを特徴とする。
【発明の効果】
【０００７】
本発明によれば、部品点数削減、小型化、簡易構造化、低コスト化を実現し、表裏両面の全ての角折れ片を矯正できる角折れ矯正装置を提供することができる。
【図面の簡単な説明】
【０００８】
【図１】（ａ）、（ｂ）は、本発明の第一実施形態に係る紙幣の角折れ矯正装置の構成を示す外観斜視図である。
【図２】本発明の第一実施形態に係る紙幣の角折れ矯正装置を示す図であり、（ａ）は正面図であり、（ｂ）は部分拡大正面図である。
【図３】本発明の第一実施形態に係る紙幣の角折れ矯正装置の平面図である。
【図４】本発明の第一実施形態に係る紙幣の角折れ矯正装置の下面図である。
【図５】本発明の第二実施形態に係る紙幣の角折れ矯正装置の構成を示す外観斜視図である。
【図６】本発明の第二実施形態に係る紙幣の角折れ矯正装置の正面図である。
【図７】（ａ）〜（ｄ）は、紙幣の角折れ矯正の様子を模式的に示す部分拡大正面図である。
【図８】本発明の第三実施形態に係る紙幣の角折れ矯正装置の構成を示す外観斜視図である。
【図９】本発明の第三実施形態に係る紙幣の角折れ矯正装置の正面図である。
【図１０】本発明の第四実施形態に係る紙幣の角折れ矯正装置を示す図であり、（ａ）はその構成を示す外観斜視図であり、（ｂ）はガイド部材内側ガイド部材を内径側から観察した図である。
【図１１】本発明の第四実施形態に係る紙幣の角折れ矯正装置の正面図である。
【図１２】本発明の第五実施形態に係る紙幣の角折れ矯正装置の構成を示す外観斜視図である。
【図１３】本発明の第五実施形態に係る紙幣の角折れ矯正装置の正面図である。
【図１４】本発明の第六実施形態に係る紙幣の角折れ矯正装置の構成を示す外観斜視図である。
【図１５】本発明の第六実施形態に係る紙幣の角折れ矯正装置の正面図である。
【図１６】本発明の一実施形態に係る角折れ矯正装置を適用する紙幣取扱装置の概略構成説明図である
【図１７】（ａ）、（ｂ）は、紙幣取扱装置による角折れ紙幣の処理手順を示すフローチャートである。
【図１８】本発明の一実施形態に係る角折れ矯正装置を適用する紙幣取扱装置の一例としての還流式紙幣処理装置の概略構成説明図である。
【図１９】還流式紙幣処理装置による角折れ紙幣の処理手順を示すフローチャートである。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
＜本発明の基本原理＞
本発明に係る紙葉の角折れ矯正装置は、搬送される紙葉の一面に接する湾曲案内凸面を備えた第一湾曲搬送ガイド部材と、湾曲案内凸面と協働して紙葉の通過を許容する湾曲路（ギャップ）を形成しつつ該紙葉の他面をガイドする湾曲案内凹面を備えた第二湾曲搬送ガイド部材と、第二湾曲搬送ガイド部材の搬送方向端部（搬送方向端縁を含む）に設けられた角折れ矯正部と、を備えた構成が特徴的である。
なお、以下の実施形態では紙葉の一例としての紙幣に形成された角折れ部（角折れ片）を矯正する装置について説明する。
なお、ここで角折れ部とは、本来平坦であるべき紙幣の角隅部等が一面側に折れることによって形成される三角形状の部位である。矯正とは、修正、平坦化と同義であり、角折れ部を矯正するとは一旦引き起こしてから紙幣の他の平坦部位とほぼ同レベルに平坦化することを意味する。
以下の説明において、紙幣の先端部、後端部については、紙幣の正搬送方向を基準とする。また、紙幣の表面、裏面については、角折れ矯正装置への最初の導入時における紙幣の姿勢を基準とする。
【００１１】
＜第一実施形態＞
図１（ａ）、（ｂ）は、本発明の第一実施形態に係る紙幣の角折れ矯正装置の外観斜視図である。図２（ａ）はその正面図、（ｂ）はその部分拡大正面図、図３はその平面図、図４はその下面図である。
この実施形態に係る紙幣の角折れ矯正装置１では、第一湾曲搬送ガイド部材が、並行に配置された三個の円筒状（又は円柱状）の回転自在なローラであり、ローラを正逆回転駆動することにより紙幣を正方向と逆方向の双方向に往復搬送するようにしている。
角折れ矯正装置１は、紙幣搬送方向Ａと直交する方向へ延びる回転軸１０ａ、２０ａ、３０ａが並行に配置されることにより並列に隣接配置されて夫々搬送される紙幣の一面又は他面（つまり何れかの面）に接する３個の同形状の円筒状のローラ（第一湾曲搬送ガイド部材：内径側湾曲ガイド部材、搬送手段）１０、２０、３０と、各ローラの外周面（湾曲案内凸面）との間に紙幣の通過を許容するガイド用の湾曲路（湾曲搬送路）Ｇ１、Ｇ２、Ｇ３を形成しつつ該紙幣の他面、又は一面をガイドする湾曲案内凹面を備えた外側ガイド部材（第二湾曲搬送ガイド部材：外径側湾曲ガイド部材）５０、６０、７０と、搬送方向両端に位置する外側ガイド部材５０、７０の一端縁に夫々設けられた角折れ矯正部（エッジ部）５１ａ、７１ａと、中央の外側ガイド部材６０の搬送方向両端縁に設けられた角折れ矯正部（エッジ部）６１ａ、６１ｂと、各ローラ１０、２０、３０を矢印Ａで示す正方向（紙幣導入方向）と矢印Ｂで示す逆方向へ正逆切替え駆動して湾曲路内で紙幣を正方向と逆方向の双方向に往復搬送するための駆動手段と、駆動手段を制御する制御手段と、を備えた構成が特徴的である。
ここで、全てのローラ１０、２０、３０が同形状である必要はない。また、３つのローラのうちの少なくとも一個を回転しない第一湾曲搬送ガイド部材としてもよい。更に、ローラに代えて固定された（非回転の）第一湾曲搬送ガイド部材としてもよい（第四実施形態参照）。
【００１２】
補助ローラ１２、２２、３２は各外側ガイド部材５０、６０、７０の適所（本例では幅方向中央部）に形成した開口を介して湾曲路内の紙幣の外側面と接しつつ回転することにより紙幣の搬送をサポートする手段である。補助ローラ１２、２２、３２は、搬送方向の少なくとも２箇所において一枚の紙幣の少なくとも２箇所をローラ１０、２０、３０との間で挟持できる位置に配置される。
本例では角折れ矯正部５１ａ、７１ａは、湾曲路Ｇ１、Ｇ３の搬送方向一端部に相当する外側ガイド部材５０、７０の一端縁（搬送方向の外側端縁）に設けられ、角折れ矯正部６１ａ、６１ｂは湾曲路Ｇ２の搬送方向両端部に相当する外側ガイド部材６０の両端縁（搬送方向の両端縁）に設けられている。角折れ矯正部５１ａ、６１ａ、６１ｂ、７１ａは、遊端側へ向かう程、平面視の幅がテーパー状（ハ字状）に漸減する。このため、紙幣の先端又は後端の角折れ片が外部から各湾曲路Ｇ１、Ｇ２、Ｇ３内に進入する際に各角折れ片が傾斜して延びる角折れ矯正部に引っ掛かって徐々に引き起こされ、その後ローラ外周面（湾曲案内凸面）と外側ガイド部材の湾曲案内凹面との間で加圧されつつ姿勢矯正されて平坦化される。このように紙幣を一方向に搬送して湾曲路内に進入させ、後端部が角折れ矯正部を通過することにより紙幣後端部の角折れ片の矯正が行われる。
【００１３】
先端及び後端側の表面及び裏面側に夫々折れた角折れ片１０１、１０２、１０３、１０４がある紙幣１００を矯正する場合には、まず図１（ａ）のように一方向Ａから湾曲路Ｇ１内に紙幣１００を進入させるために制御手段は駆動手段を制御して各ローラ１０、２０、３０を矢印Ａ方向に同速度で（或いは、必要に応じて適度な速度差をもって）回転駆動する。
矢印Ａ方向へ搬送される紙幣１００が湾曲路Ｇ１、Ｇ２、Ｇ３内を進行する過程では図１（ｂ）に示す先端側の角折れ片１０１、１０２は何れの角折れ矯正部５１ａ、６１ａ、６１ｂ、７１ａによっても矯正を受けず、紙幣１００の後端側、且つ表側にある角折れ片１０３が、紙幣１００が湾曲路Ｇ１内を方向Ａに移動して角折れ矯正部５１ａを通過する際に矯正を受ける。
紙幣の先端側、且つ表側の角折れ片１０１を矯正するには、先端側の角折れ片が他方の角折れ矯正部７１ａをＡ方向へ一旦完全離脱した後に各ローラをＢ方向に逆回転させて紙幣をＢ方向へ逆搬送させる（図１（ｂ））。逆搬送される過程で先端側の角折れ片１０１が他方の角折れ矯正部７１ａを通過する際に矯正が行われる。
なお、先端側、且つ表側の角折れ片１０１の形状、サイズが充分に大きく、修正し易い等の状況によっては、第一湾曲路Ｇ１内に方向Ａから進入する際に角折れ矯正部５１ａによって矯正することも可能であるが、矯正を確実にするのは上記の逆搬送によって角折れ矯正部７１ａを利用して行う矯正である。
【００１４】
紙幣１００の裏側へ折れた角折れ片１０２、１０４を矯正するのは、外側ガイド部材６０の角折れ矯正部６１ａ、６１ｂの役割である。即ち、紙幣１００が第二湾曲路Ｇ２内を図２の右側からＡ方向へ進行する際には、後端部の裏側にある角折れ片１０４が図２（ｂ）に示すように角折れ矯正部６１ａの矯正作用によって起立後、平坦化される。紙幣１００が第二湾曲路Ｇ２内をＢ方向へ進行する際には、先端部の裏側にある角折れ片１０２が角折れ矯正部６１ｂの矯正作用によって起立後、平坦化される。
【００１５】
図２（ａ）に示すように、各外側ガイド部材５０、７０は、紙幣を導入する側の端部がローラ１０、３０周面との間に形成する間隔が遊端側に向かうにつれてテーパー状（或いは湾曲状）に漸増するように構成されており、このため紙幣端縁を湾曲路内に導入し易くなっている。
中央の外側ガイド部材６０は、搬送方向両端部（角折れ矯正部６１ａ、６１ｂの形成部位）がローラ周面からテーパー状に離間しているため、往復搬送時における紙幣端縁の湾曲路内への進入が容易となっている。また、表側の角折れ片を矯正する際に大きな負荷を与えてダメージを与えることなくスムーズに矯正することができる。
外側ガイド部材５０、７０の各端縁に位置する角折れ矯正部５１ａ、７１ａは、図２（ａ）に示すように徐々にローラ周面から離間するように構成されているため、紙幣の角折れ片が各角折れ矯正部５１ａ、７１ａを通過する際に大きな負荷を与えてダメージを与えることなくスムーズに矯正することができる。
【００１６】
本例ではローラを３個併設して各湾曲路Ｇ１、Ｇ２、Ｇ３から成る搬送経路が全体としてＳ字状になっているため、紙幣をＳ字状の経路に沿って湾曲させながら往復搬送することにより表裏全ての角折れ片を他の紙幣部位から離間させる（引き起こす）ことが可能となり、角折れ矯正部による角折れ片の引っ掛け、掬い上げ、引き起こしが確実となり、全体として矯正が確実となる。
なお、何れの外側ガイド部材５０、６０、７０も軸５３、６３、７３を中心として回動することにより湾曲案内凹面をローラ周面から離間させて、湾曲路の少なくとも搬送方向の各端部側を開放できるように構成されている。
本例ではローラを３個併設したため、湾曲路Ｇ１、Ｇ２、Ｇ３から成る搬送経路は全体としてＳ字状になっているが、これは一例に過ぎず、ローラの数、搬送経路の形状は種々変形が可能である。
【００１７】
また、テーパー状のエッジ部から成る角折れ矯正部５１ａ、６１ａ、６１ｂ、７１ａを夫々構成する、各外側ガイド部材５０、６０、７０の幅方向両端の２つのエッジ部が直線状に延びる構成例を示したが、内側へ凹状に湾曲して延びるエッジ部、或いは外側に凸状に湾曲して延びるエッジ部（図８参照）としてもよい。
【００１８】
第一実施形態に係る紙幣の角折れ矯正装置によれば、紙幣をＳ字状に湾曲した搬送経路に沿って搬送するので、一回の往復搬送により、紙幣の両端に位置する表裏両面の角折れ片をローラ周面から離間する方向へ起こすことが可能である。つまり、紙幣本体の一面がローラの外周面（湾曲案内凸面）と接触しつつ外周面に沿って湾曲した状態に変形させられることにより、紙幣の他面側に形成された角折れ片は起立方向、即ちローラ外周面から離間する方向へ起き上がり易くなる。この作用によって、紙幣本体から起立方向に変形した角折れ片をテーパー状のエッジ部から成る角折れ矯正部５１ａ、６１ａ、６１ｂ、７１ａが確実に引っ掛けることが可能となり、角折れ片を平坦に修正できる。
本実施形態に係る角折れ矯正装置１は、部品点数が少なく、構成がシンプルであるため、小型化、簡易構造化、低コスト化が可能でありながら、表裏両面の全ての角折れ片を矯正することができる。
【００１９】
＜第二実施形態＞
図５は本発明の第二実施形態に係る紙幣（紙葉）の角折れ矯正装置の構成を示す外観斜視図であり、図６はその正面図である。
なお、第二実施形態と第一実施形態との主たる相違点は、ローラ（第一湾曲搬送ガイド部材）の個数と、外側ガイド部材の形状である。従って、同一機能を有した部位には同一符号を付して説明する。
この実施形態に係る紙幣の角折れ矯正装置１では、第一湾曲搬送ガイド部材が、並行に配置された二個の円筒状（又は円柱状）の回転自在なローラであり、ローラを正逆回転駆動することにより紙幣を同一の搬送経路内で正方向と逆方向の双方向に往復搬送するようにしている。
【００２０】
角折れ矯正装置１は、紙幣搬送方向と直交する方向へ延びる回転軸１０ａ、３０ａが並行に配置されることにより並列に隣接配置されて、夫々搬送される紙幣の一面又は他面（何れかの面）に接する２個の同形状の円筒状のローラ（第一湾曲搬送ガイド部材、搬送手段）１０、３０と、各ローラの外周面（湾曲案内凸面）との間に紙幣の通過を許容するガイド用の湾曲路（湾曲搬送路）Ｇ１、Ｇ３を形成しつつ該紙幣の他面、又は一面をガイドする湾曲案内凹面を備えた外側ガイド部材５０、７０と、各外側ガイド部材５０、７０の両端部に夫々設けられた角折れ矯正部（エッジ部）５１ａ、５１ｂ、７１ａ、７１ｂと、各ローラ１０、３０を矢印Ａで示す正方向と矢印Ｂで示す逆方向へ正逆切替え駆動して湾曲路内で紙幣を往復搬送するための駆動手段と、駆動手段を制御する制御手段と、を備えた構成が特徴的である。
【００２１】
補助ローラ１２、３２は各外側ガイド部材５０、７０の適所（本例では幅方向中央部）に形成した開口を介して湾曲路内の紙幣の外側面と接しつつ回転することにより紙幣の搬送をサポートする手段である。
角折れ矯正部５１ａ、５１ｂ、７１ａ、７１ｂは、湾曲路Ｇ１、Ｇ３の搬送方向両端部に相当する外側ガイド部材５０、７０の両端部に夫々設けられている。角折れ矯正部（エッジ）５１ａ、５１ｂ、７１ａ、７１ｂは、遊端側へ向かう程、平面視の幅がテーパー状（ハ字状）に漸減する。本例において各外側ガイド部材５０、７０は、角折れ矯正部５１ｂ、７１ｂの幅方向中間部側端縁から搬送方向に沿って延在する受け渡しガイド部５２、７２を有している。受け渡しガイド部５２、７２は紙幣の通過を許容するガイド用の受け渡し搬送路Ｇ４を形成しており、湾曲路Ｇ１、Ｇ３間での紙幣１００のスムーズな受け渡しを可能としている。
【００２２】
図７（ａ）〜（ｄ）は、紙幣の角折れ矯正の様子を模式的に示す部分拡大正面図である。なお、紙幣１００の先端・後端及び表裏については、紙幣を湾曲路Ｇ１へ方向Ａに導入した時を基準として記載する。
図７（ａ）に示すように、紙幣１００が湾曲路Ｇ１の外側、即ち方向Ａから湾曲路Ｇ１内に進入する際に紙幣１００の搬送方向後端、且つ表側に位置する角折れ片１０３が傾斜して延びる角折れ矯正部５１ａに引っ掛かって徐々に引き起こされ、その後ローラ１０外周面（湾曲案内凸面）と外側ガイド部材５０の湾曲案内凹面との間で加圧されつつ姿勢矯正されて平坦化される。このように紙幣１００を一方向に搬送して湾曲路Ｇ１内に進入させ、後端部が角折れ矯正部５１ａを通過することにより紙幣後端部の角折れ片１０３の矯正が行われる。
図７（ｂ）に示すように、紙幣１００の先端、且つ表側にある角折れ片１０１は、紙幣１００の先端部が湾曲路Ｇ１内を方向Ａに移動して、一旦角折れ矯正部５１ｂを通過してから逆方向に戻り方向Ｂに搬送される際に各角折れ矯正部５１ｂによって姿勢矯正される。
【００２３】
図７（ｃ）に示すように、紙幣の後端、且つ裏側へ折れた角折れ片１０４を矯正するのは、中央の角折れ矯正部７１ｂの役割である。即ち、第一湾曲路Ｇ１を経由して第三湾曲路Ｇ３内をＡ方向に進行する紙幣１００の後端部が角折れ矯正部７１ｂをＡ方向へ通過する際に、角折れ片１０４が角折れ矯正部７１ｂの矯正作用によって起立後、平坦化される。
図７（ｄ）に示すように、紙幣の先端、且つ裏側へ折れた角折れ片１０２を矯正するのは、角折れ矯正部７１ａの役割である。即ち、第一湾曲路Ｇ１を経由して第三湾曲路Ｇ３内をＡ方向に進行する紙幣１００の先端部が、角折れ矯正部７１ａをＡ方向へ通過してからＢ方向に逆搬送される際に、角折れ片１０２が角折れ矯正部７１ａの矯正作用によって起立後、平坦化される。
【００２４】
図６に示すように、各外側ガイド部材５０、７０の紙幣を導入する側の端部（角折れ矯正部５１ａ、７１ａの形成部位）とローラ周面との間隔がテーパー状（或いは湾曲状）に漸増するように構成すれば、紙幣端縁を湾曲路内に導入し易くなる。また、角折れ片を矯正する際に大きな負荷を与えてダメージを与えることなくスムーズに矯正することができる。
本例ではローラを２個併設して各湾曲路Ｇ１、Ｇ３から成る搬送経路が全体としてＳ字状の湾曲経路になっているため、紙幣をＳ字状の経路に沿って湾曲させながら往復搬送することにより表裏全ての角折れ片を他の紙幣部位から離間させる（引き起こす）ことが可能となり、角折れ矯正部５１ａ、５１ｂ、７１ａ、７１ｂによる角折れ片の引っ掛け、掬い上げ、引き起こしが確実となり、全体として矯正が確実となる。
【００２５】
本例ではローラを２個併設したため、湾曲路Ｇ１、Ｇ３から成る搬送経路は全体としてＳ字状になっているが、これは一例に過ぎず、ローラの数、搬送経路の形状は種々変形が可能である。
また、テーパー状のエッジ部から成る角折れ矯正部５１ａ、５１ｂ、７１ａ、７１ｂが直線状に延びる構成例を示したが、内側へ凹状に湾曲して延びるエッジ部、或いは外側に凸状に湾曲して延びるエッジ部としてもよい。
【００２６】
第二実施形態に係る紙幣（紙葉）の角折れ矯正装置によれば、紙幣をＳ字状に湾曲した搬送経路に沿って搬送するので、一回の往復搬送により、紙幣の両端に位置する表裏両面の角折れ片をローラ周面から離間する方向へ起こすことが可能である。つまり、紙幣の一面がローラの外周面（湾曲案内凸面）と接触しつつ外周面に沿って湾曲した状態に変形させられることにより、紙幣の他面側に形成された角折れ片は起立方向、即ちローラ外周面から離間する方向へ起き上がり易くなる。この作用によって、起立方向に変形した角折れ片をテーパー状のエッジ部から成る角折れ矯正部５１ａ、５１ｂ、７１ａ、７１ｂが確実に引っ掛けることが可能となり、角折れ片を平坦に修正できる。
本実施形態に係る角折れ矯正装置１は、部品点数が少なく、構成がシンプルであるため、小型化、簡易構造化、低コスト化が可能でありながら、表裏両面の全ての角折れ片を矯正することができる。
【００２７】
＜第三実施形態＞
図８は本発明の第三実施形態に係る紙幣（紙葉）の角折れ矯正装置の構成を示す外観斜視図、図９はその正面図である。
なお、第三実施形態と第一、第二実施形態との主たる相違点は、ローラ（第一湾曲搬送ガイド部材）の個数と、外側ガイド部材の形状である。従って、同一機能を有した部位には同一符号を付して説明する。
この実施形態に係る紙幣の角折れ矯正装置１では、第一湾曲搬送ガイド部材が、一個の円筒状（又は円柱状）の回転自在なローラであり、ローラを正逆回転駆動することにより紙幣を往復搬送するようにしている。
【００２８】
角折れ矯正装置１は、紙幣搬送方向と直交する方向へ延びる回転軸１０ａを中心として正逆回転して紙幣の一面に接する一個の円筒状のローラ（第一湾曲搬送ガイド部材、搬送手段）１０と、ローラ１０の外周面（湾曲案内凸面）との間に紙幣の通過を許容するガイド用の湾曲路Ｇ１を形成しつつ該紙幣の他面をガイドする湾曲案内凹面を備えた外側ガイド部材５０と、外側ガイド部材５０の搬送方向両端縁に夫々設けられた角折れ矯正部（エッジ部）５１ａ、５１ｂと、ローラ１０を矢印Ａで示す正方向と矢印Ｂで示す逆方向へ正逆切替え駆動して湾曲路Ｇ１内で紙幣を往復搬送するための駆動手段と、駆動手段を制御する制御手段と、を備えた構成が特徴的である。
補助ローラ１２は外側ガイド部材５０の適所（本例では幅方向中央部）に形成した開口を介して湾曲路内の紙幣の外側面と接しつつ回転することにより紙幣の搬送をサポートする手段である。
【００２９】
角折れ矯正部５１ａ、５１ｂは、湾曲路Ｇ１の搬送方向両端部に相当する外側ガイド部材５０の両端縁に夫々設けられている。各角折れ矯正部５１ａ、５１ｂは、遊端側へ向かう程、平面視の幅がテーパー状（ハ字状）に漸減する。
紙幣が各湾曲路Ｇ１の外側、即ち方向Ａから湾曲路Ｇ１内に進入する際に紙幣の搬送方向後端、且つ表側に位置する角折れ片が傾斜して延びる角折れ矯正部５１ａに引っ掛かって徐々に引き起こされ、その後ローラ外周面（湾曲案内凸面）と外側ガイド部材の湾曲案内凹面との間で加圧されつつ姿勢矯正されて平坦化される。このように紙幣を一方向に搬送して湾曲路Ｇ１内に進入させ、後端部が角折れ矯正部５１ａを通過することにより紙幣後端部の角折れ片の矯正が行われる。
【００３０】
紙幣の先端、且つ表側にある角折れ片は、紙幣が各湾曲路Ｇ１内を方向Ａに移動して、一旦角折れ矯正部５１ｂを通過してから逆方向に戻り搬送される際に各角折れ矯正部５１ｂによって姿勢矯正される。
紙幣の裏側へ折れた角折れ片１０２、１０４を矯正するためには、紙幣１００の裏面側が凸、表面側が凹となるように湾曲させた状態にて角折れ片１０２、１０４が角折れ矯正部５１ａ、５１ｂを通過するようにすればよい。即ち、湾曲路Ｇ１内で往復搬送した紙幣１００をＡ方向に搬送して湾曲路Ｇ１外へ完全に離脱させた後、矢印Ｃに示すようにスイッチバックで後端（角折れ片１０４のある端縁）からＡ方向に湾曲路Ｇ１へ再導入することにより、最初の往復搬送時とは紙幣の表裏を逆転させた状態で湾曲路Ｇ１内を往復搬送すればよい。
なお、第二実施形態のように本実施形態に係る角折れ矯正装置１を２個以上並列に配置して全体としてＳ字状の搬送経路を形成してもよい。
【００３１】
第三実施形態に係る紙幣（紙葉）の角折れ矯正装置によれば、紙幣をＣ字状に湾曲した搬送経路に沿って搬送するので、搬送経路内で往復搬送した後、紙幣の表裏を逆転させて搬送経路内で往復搬送することにより、紙幣の両端に位置する表裏両面の角折れ片をローラ周面から離間する方向へ起こすことが可能である。つまり、紙幣の一面がローラの外周面（湾曲案内凸面）と接触しつつ外周面に沿って湾曲した状態に変形させられることにより、紙幣の他面側に形成された角折れ片は起立方向、即ちローラ外周面から離間する方向へ起き上がり易くなる。この作用によって、起立方向に変形した角折れ片をテーパー状のエッジ部から成る角折れ矯正部５１ａ、５１ｂが確実に引っ掛けることが可能となり、角折れ片を平坦に修正できる。
本例においては、外側ガイド部材５０の幅方向両端の２つのエッジ部（角折れ矯正部５１ａ）が凸状に湾曲して延びる構成例を示したが、直線状に延びるエッジ部、或いは内側へ凹状に湾曲して延びるエッジ部としてもよい。
本実施形態に係る角折れ矯正装置１は、部品点数が少なく、構成がシンプルであるため、小型化、簡易構造化、低コスト化が可能でありながら、表裏両面の全ての角折れ片を矯正することができる。
【００３２】
＜第四実施形態＞
図１０は本発明の第四実施形態に係る紙幣（紙葉）の角折れ矯正装置を示す図であり、（ａ）はその構成を示す外観斜視図であり、（ｂ）はガイド部材内側ガイド部材を内径側から観察した図である。図１１は本発明の第四実施形態に係る紙幣（紙葉）の角折れ矯正装置の正面図である。
なお、第四実施形態と第一乃至第三実施形態との主たる相違点は、第一湾曲搬送ガイド部材としてローラの代わりに湾曲した板状のガイド部材を配置した点にある。以下、同一機能を有した部位には同一符号を付して説明する。
この実施形態に係る紙幣の角折れ矯正装置１では、第一湾曲搬送ガイド部材が、一個の固定された（回転しない）板状の内側ガイド部材１５とされている。本例においては、内側ガイド部材１５の適所（本例では幅方向中央部）に形成した開口を介して湾曲路内の紙幣の内側面と接しつつ回転する３つの搬送ローラ１３を搬送方向に沿って内側ガイド部材１５の内径側に設けており、搬送ローラ１３を正逆回転駆動することにより紙幣を往復搬送するようにしている。
【００３３】
角折れ矯正装置１は、紙幣搬送方向Ａ、Ｂと直交する方向へ延びる仮想軸を中心として半円筒状に湾曲形成されると共に、外周面（湾曲案内凸面）にて紙幣の一面をガイドする１個の内側ガイド部材（第一湾曲搬送ガイド部材）１０と、紙幣搬送方向と直交する方向へ延びる回転軸１３ａを中心として正逆回転して紙幣の一面に接する３個の円筒状の搬送ローラ（搬送手段）１３と、内側ガイド部材１５の外周面との間に紙幣の通過を許容する略均一なガイド用の湾曲路Ｇ１を形成しつつ該紙幣の他面をガイドする湾曲案内凹面を備えた外側ガイド部材５０と、搬送ローラ１３を矢印Ａで示す正方向と矢印Ｂで示す逆方向へ正逆切替え駆動して湾曲路Ｇ１内で紙幣を往復搬送するための駆動手段と、駆動手段を制御する制御手段と、を備えた構成が特徴的である。
更に、角折れ矯正装置１は、外側ガイド部材５０の搬送方向両端縁に夫々設けられた角折れ矯正部５１ａ、５１ｂと、内側ガイド部材１５の搬送方向両端縁に夫々設けられた角折れ矯正部（エッジ部）１１ａ、１１ｂと、内側ガイド部材１５の搬送方向中間部の幅を紙幣搬送方向に沿って連続的に漸減（漸増）させた角折れ矯正部１１ｃ、１１ｄと、を備えた構成が特徴的である。
ここで、内側ガイド部材１５と外側ガイド部材５０は、その間に湾曲する搬送路を形成すればよく、湾曲案内凸面、湾曲案内凹面は側面視形状が真円弧状でなくてもよい。
【００３４】
補助ローラ１２は外側ガイド部材５０の適所（本例では幅方向中央部）に形成した開口１４を介して湾曲路Ｇ１内の紙幣の外側面と接しつつ回転することにより紙幣の搬送をサポートする手段である。本例において補助ローラ１２は、搬送ローラ１３との間に紙幣を挟んでその搬送を補助する。
【００３５】
角折れ矯正部１１ａ、１１ｂは、湾曲路Ｇ１の搬送方向両端部に相当する内側ガイド部材１５の両端縁に夫々設けられており、角折れ矯正部５１ａ、５１ｂは、湾曲路Ｇ１の搬送方向両端部に相当する外側ガイド部材５０の両端縁に夫々設けられている。各角折れ矯正部１１ａ、１１ｂ、５１ａ、５１ｂは、遊端側へ向かう程、平面視の幅がテーパー状（ハ字状）に漸減する。内側ガイド部材１５と外側ガイド部材との間で対となる角折れ矯正部１１ａと角折れ矯正部５１ａ、角折れ矯正部１１ｂと角折れ矯正部５１ｂとは、互いに同形状でも、異なる形状でもよく、また、各角折れ矯正部は搬送方向における位置が重なっていてもよいし、ずれていてもよい。
角折れ矯正部１１ｃ、１１ｄは、湾曲路Ｇ１の搬送方向中間部に相当する内側ガイド部材１５の幅方向両端部に夫々設けられている。角折れ矯正部１１ｃ、１１ｄは、内側ガイド部材１５の幅方向端部をＶ字状に切り欠いた形状である。即ち、角折れ矯正部１１ｃ、１１ｄは、遊端側へ向かう程、平面視の幅がテーパー状（ハ字状）に漸増する。
【００３６】
紙幣１００が湾曲路Ｇ１の外側、即ち方向Ａから湾曲路Ｇ１内に進入する際に紙幣の搬送方向後端、且つ表側に位置する角折れ片１０３が傾斜して延びる角折れ矯正部５１ａに引っ掛かって徐々に引き起こされ、その後内側ガイド部材１５の外周面（湾曲案内凸面）と外側ガイド部材の湾曲案内凹面との間で加圧されつつ姿勢矯正されて平坦化される。このように紙幣を一方向に搬送して湾曲路Ｇ１内に進入させ、後端部が角折れ矯正部５１ａを通過することにより角折れ片１０３の矯正が行われる。
紙幣の搬送方向先端、且つ表側にある角折れ片１０１は、紙幣１００の先端部が湾曲路Ｇ１内を方向Ａに移動して、一旦角折れ矯正部５１ｂを通過してから逆方向に戻り搬送される際に各角折れ矯正部５１ｂによって姿勢矯正される。
紙幣の搬送方向後端、且つ裏側にある角折れ片１０４は、紙幣１００が方向Ａから湾曲路Ｇ１内に進入する際に、角折れ矯正部１１ａによって姿勢矯正される。角折れ矯正部１１ａによって充分に姿勢矯正されなかった場合、この角折れ片１０４は、更に湾曲路Ｇ１内をＡ方向に搬送される過程で角折れ矯正部１１ｄによって再度姿勢矯正される。
【００３７】
紙幣の搬送方向先端、且つ裏側にある角折れ片１０２は、紙幣１００の先端部が湾曲路Ｇ１内を方向Ａに移動して、一旦角折れ矯正部１１ｂを通過してから逆方向に戻り搬送される際に各角折れ矯正部１１ｂによって姿勢矯正される。角折れ矯正部１１ｂによって充分に姿勢矯正されなかった場合、この角折れ片１０２は、更に湾曲路Ｇ１内をＢ方向に搬送される過程で角折れ矯正部１１ｃによって再度姿勢矯正される。
角折れ矯正部１１ｃ、１１ｄの搬送方向長と幅方向長（幅方向端縁からの切り込みの深さと角度θ２は、角折れ矯正部１１ａ、１１ｂの角度θ１と同一としてもよい。しかし、角折れ片に対して最適な引き起こし効果を与える角折れ矯正部の形状は、角折れ片の形状によって異なる。従って、角折れ矯正部１１ｃ、１１ｄを、角折れ矯正部１１ａ、１１ｂとは異なる搬送方向長と幅方向長に設定することで、角折れ片に対して２つの角折れ矯正部間で異なる矯正力を作用させることが可能となり、角折れ矯正部１１ｃ、１１ｄによる補助的な角折れ矯正が効果的に行われる。
【００３８】
第四実施形態に係る紙幣（紙葉）の角折れ矯正装置によれば、紙幣の面に接触する外側ガイド部材と紙幣の裏面に接触する内側ガイド部材の双方に、テーパー状のエッジ部から成る角折れ矯正部５１ａ、５１ｂ、１１ａ〜１１ｄを備えたので、紙幣をＣ字状に湾曲した搬送経路に沿って１回の往復搬送を実施することにより、紙幣の搬送方向両端に位置する表裏両面の角折れ片を矯正することが可能である。
つまり、紙幣の一面（裏面）が内側ガイド部材１５の外周面（湾曲案内凸面）と接触しつつ外周面に沿って湾曲した状態に変形させられることにより、紙幣の他面側（裏面側）に形成された角折れ片は起立方向、即ち内側ガイド部材の外周面から離間する方向へ起き上がり易くなる。この作用によって、起立方向に変形した角折れ片をテーパー状のエッジ部から成る角折れ矯正部５１ａ、５１ｂが確実に引っ掛けることが可能となり、角折れ片を平坦に修正できる。
【００３９】
また、内側ガイド部材１５は中空状となっており、紙幣の一面側（裏面側）に位置する未矯正の角折れ片は、内側ガイド部材１５の中空部側に折れ曲がった（突出した）姿勢で角折れ矯正部を通過する。従って、この角折れ片は搬送される過程で傾斜して延びる角折れ矯正部１１ａ〜１１ｄに引っ掛かって徐々に引き起こされ、その後、内側ガイド部材の外周面（湾曲案内凸面）と外側ガイド部材の内周面（湾曲案内凹面）との間で加圧されつつ姿勢矯正されて平坦化される。
本実施形態に係る角折れ矯正装置１は、部品点数が少なく、構成がシンプルであるため、小型化、簡易構造化、低コスト化が可能でありながら、表裏両面の全ての角折れ片を矯正することができる。内側ガイド部材１５の内側に形成される中空状の空間を有効活用することにより、更に装置の小型化を図ることができる。
【００４０】
なお、紙幣の裏側へ折れた角折れ片１０２、１０４を、より確実に矯正するためには、紙幣の裏面側が突出するように湾曲させた状態にて角折れ片が角折れ矯正部を通過するようにすればよい。即ち、第二実施形態のように本実施形態に係る角折れ矯正装置１を２個以上並列に配置して全体としてＳ字状の搬送経路を形成するか、反転させた紙幣を後端からＡ方向に湾曲路Ｇ１へと再導入することにより、紙幣の表裏を逆転させた状態で湾曲路Ｇ１内を往復搬送すればよい。
【００４１】
＜第五実施形態＞
図１２は本発明の第五実施形態に係る紙幣（紙葉）の角折れ矯正装置の構成を示す外観斜視図、図１３はその正面図である。
なお、第五実施形態と第一乃至第四実施形態との主たる相違点は、傾斜して延びる角折れ矯正部の代わりにブラシ状の角折れ矯正部を配置した点にある。以下、同一機能を有した部位には同一符号を付して説明する。
この実施形態に係る紙幣の角折れ矯正装置１では、第一湾曲搬送ガイド部材が、一個の円筒状（又は円柱状）の回転自在なローラであり、ローラを正逆回転駆動することにより紙幣を往復搬送するようにしている。
【００４２】
角折れ矯正装置１は、紙幣搬送方向と直交する方向へ延びる回転軸１０ａを中心として正逆回転して紙幣の一面に接する一個の円筒状のローラ（第一湾曲搬送ガイド部材、搬送手段）１０と、ローラ１０の外周面（湾曲案内凸面）との間に紙幣の通過を許容するガイド用の湾曲路Ｇ１を形成しつつ該紙幣の他面をガイドする湾曲案内凹面を備えた外側ガイド部材５０と、外側ガイド部材５０の搬送方向各端部に設けられたブラシ（角折れ矯正部）５４、５５と、ローラ１０を矢印Ａで示す正方向（導入方向）と矢印Ｂで示す逆方向へ正逆切替え駆動して湾曲路Ｇ１内で紙幣を往復搬送するための駆動手段と、駆動手段を制御する制御手段と、を備えた構成が特徴的である。
補助ローラ１２はブラシ５４、５４の間、及びブラシ５５、５５の間（幅方向中間部）に夫々配置され、湾曲路Ｇ１外に露出した紙幣の外側面と接しつつ回転することにより、紙幣の搬送をサポートする。
【００４３】
外側ガイド部材５０は、ローラ１０との間で湾曲路Ｇ１を形成する本体５０ａと、本体５０ａの搬送方向各端部に配置されたブラシ５４、５５とを備える。ブラシ５４、５５は、搬送路の幅方向両端部に配置されている。ブラシ５４、５５は、ローラ１０の外周面（湾曲路形成面）に向けて突出する複数の突起（線材、或いは毛束）５４ａ、５５ａを有しており、各線材の先端が搬送される紙幣の他面（表面）に位置する角折れ片に接触することによって、各角折れ片を引き起こす効果を発揮する。ブラシ５４、５４とブラシ５５、５５とは、外側ガイド部材５０の遊端側の間隔が狭くなるように（ハ字状に）配置してもよい。
【００４４】
紙幣が湾曲路Ｇ１の外側、方向Ａから湾曲路Ｇ１内に進入する際に、紙幣の搬送方向後端、且つ表側に位置する角折れ片がブラシ５４の突起５４ａに接触して引き起こされた状態で湾曲路Ｇ１内に導入される。引き起こされた角折れ片は、ローラ１０の外周面（湾曲案内凸面）と外側ガイド部材５０の本体５０ａの湾曲案内凹面との間で加圧されつつ姿勢矯正されて平坦化される。このように紙幣を一方向に搬送して湾曲路Ｇ１内に進入させ、後端部がブラシ５４部分を通過することにより紙幣後端部の角折れ片の矯正が行われる。
紙幣の先端、且つ表側にある角折れ片は、紙幣が各湾曲路Ｇ１内を方向Ａに移動して、一旦ブラシ５５部分を通過してから逆方向に戻り搬送される際に各ブラシ５５によって姿勢矯正される。
紙幣の裏側へ折れた角折れ片１０２、１０４を矯正するためには、第三の実施形態（図９）に示したように、紙幣１００の裏面側が凸、表面側が凹となるように湾曲させた状態にて角折れ片１０２、１０４が各ブラシ５４、５５を通過するようにすればよい。即ち、湾曲路Ｇ１内で往復搬送した紙幣１００をＡ方向に搬送して湾曲路Ｇ１外へ完全に離脱させた後、矢印Ｃに示すようにスイッチバックで後端（角折れ片１０４のある端縁）からＡ方向に湾曲路Ｇ１へ再導入することにより、最初の往復搬送時とは紙幣の表裏を逆転させた状態で湾曲路Ｇ１内を往復搬送すればよい。
なお、第二実施形態のように本実施形態に係る角折れ矯正装置１を２個以上並列に配置して全体としてＳ字状の搬送経路を形成してもよい。
【００４５】
第五実施形態に係る紙幣（紙葉）の角折れ矯正装置によれば、紙幣をＣ字状に湾曲した搬送経路に沿って搬送するので、搬送経路内で往復搬送した後、紙幣の表裏を逆転させて搬送経路内で往復搬送することにより、紙幣の両端に位置する表裏両面の角折れ片をローラ周面から離間する方向へ起こすことが可能である。つまり、紙幣の一面がローラの外周面（湾曲案内凸面）と接触しつつ外周面に沿って湾曲した状態に変形させられることにより、紙幣の他面側に形成された角折れ片は起立方向、即ちローラ外周面から離間する方向へ起き上がり易くなる。この作用によって、起立方向に変形した角折れ片をブラシ５４、５５の複数の突起５４ａ、５５ａが確実に引っ掛けることが可能となり、角折れ片を平坦に修正できる。
本実施形態に係る角折れ矯正装置１は、部品点数が少なく、構成がシンプルであるため、小型化、簡易構造化、低コスト化が可能でありながら、表裏両面の全ての角折れ片を矯正することができる。
【００４６】
＜第六実施形態＞
図１４は本発明の第六実施形態に係る紙幣（紙葉）の角折れ矯正装置の構成を示す外観斜視図、図１５はその正面図である。
なお、第六実施形態と第五実施形態との主たる相違点は、傾斜して延びる角折れ矯正部の代わりに、スクレーパ状の角折れ矯正部を配置した点にある。以下、同一機能を有した部位には同一符号を付して説明する。
この実施形態に係る紙幣の角折れ矯正装置１では、第一湾曲搬送ガイド部材が、一個の円筒状（又は円柱状）の回転自在なローラであり、ローラを正逆回転駆動することにより紙幣を往復搬送するようにしている。
【００４７】
角折れ矯正装置１は、紙幣搬送方向と直交する方向へ延びる回転軸１０ａを中心として正逆回転して紙幣の一面に接する一個の円筒状のローラ（第一湾曲搬送ガイド部材、搬送手段）１０と、ローラ１０の外周面（湾曲案内凸面）との間に紙幣の通過を許容するガイド用の湾曲路Ｇ１を形成しつつ該紙幣の他面をガイドする湾曲案内凹面を備えた外側ガイド部材５０と、外側ガイド部材５０の搬送方向各端部に設けられてローラ１０の外周面（湾曲路形成面）に向けて突出したスクレーパ（突出片、角折れ矯正部）５６、５７と、ローラ１０を矢印Ａで示す正方向と矢印Ｂで示す逆方向へ正逆切替え駆動して湾曲路Ｇ１内で紙幣を往復搬送するための駆動手段と、駆動手段を制御する制御手段と、を備えた構成が特徴的である。
【００４８】
補助ローラ１２はスクレーパ５６、５６の間、及びスクレーパ５７、５７の間（幅方向中間部）に夫々配置され、湾曲路Ｇ１外に露出した紙幣の外側面と接しつつ回転することにより、紙幣の搬送をサポートする。
【００４９】
外側ガイド部材５０は、ローラ１０との間で湾曲路Ｇ１を形成する本体５０ａと、本体５０ａの搬送方向各端部によって支持されたスクレーパ５６、５７とを備える。本例では、スクレーパ５６、５７の先端部５６ａ、５７ａが搬送される紙幣の他面（表面）に位置する角折れ片に接触することによって、各角折れ片を引き起こす効果を発揮する。スクレーパ５６、５６とスクレーパ５７、５７とは、外側ガイド部材５０の遊端側の間隔が狭くなるように（ハ字状に）配置してもよい。
【００５０】
紙幣が湾曲路Ｇ１の外側、方向Ａから湾曲路Ｇ１内に進入する際に、紙幣の搬送方向後端、且つ表側に位置する角折れ片がスクレーパ５６の先端部５６ａに接触して引き起こされた状態で湾曲路Ｇ１内に導入される。引き起こされた角折れ片は、ローラ１０の外周面（湾曲案内凸面）と外側ガイド部材５０の本体５０ａの湾曲案内凹面との間で加圧されつつ姿勢矯正されて平坦化される。このように紙幣を一方向に搬送して湾曲路Ｇ１内に進入させ、後端部がスクレーパ５６部分を通過することにより紙幣後端部の角折れ片の矯正が行われる。
紙幣の先端、且つ表側にある角折れ片は、紙幣が各湾曲路Ｇ１内を方向Ａに移動して、一旦スクレーパ５７部分を通過してから逆方向に戻り搬送される際に各スクレーパ５７によって姿勢矯正される。
紙幣の裏側へ折れた角折れ片を矯正するためには、紙幣の裏面側が突出するように湾曲させた状態にて角折れ片が角折れ矯正部を通過するようにすればよい。即ち、湾曲路Ｇ１内で往復搬送した紙幣をＡ方向に搬送して湾曲路Ｇ１外へ完全に離脱させた後、スイッチバックで紙幣を後端からＡ方向に湾曲路Ｇ１へと導入することにより、紙幣の表裏を逆転させた状態で再度湾曲路Ｇ１内を往復搬送すればよい。
なお、第二実施形態のように本実施形態に係る角折れ矯正装置１を２個以上並列に配置して全体としてＳ字状の搬送経路を形成してもよい。
【００５１】
第六実施形態に係る紙幣（紙葉）の角折れ矯正装置によれば、紙幣をＣ字状に湾曲した搬送経路に沿って搬送するので、搬送経路内で往復搬送した後、紙幣の表裏を逆転させて搬送経路内で往復搬送することにより、紙幣の両端に位置する表裏両面の角折れ片をローラ周面から離間する方向へ起こすことが可能である。つまり、紙幣の一面がローラの外周面（湾曲案内凸面）と接触しつつ外周面に沿って湾曲した状態に変形させられることにより、紙幣の他面側に形成された角折れ片は起立方向、即ちローラ外周面から離間する方向へ起き上がり易くなる。この作用によって、起立方向に変形した角折れ片をスクレーパ５６、５７の先端部５６ａ、５７ａが確実に引っ掛けることが可能となり、角折れ片を平坦に修正できる。
本実施形態に係る角折れ矯正装置１は、部品点数が少なく、構成がシンプルであるため、小型化、簡易構造化、低コスト化が可能でありながら、表裏両面の全ての角折れ片を矯正することができる。
【００５２】
＜紙葉の角折れ矯正装置の適用例１＞
図１６は本発明の一実施形態に係る角折れ矯正装置を適用する紙幣（紙葉）取扱装置の概略構成説明図である。
【００５３】
紙幣取扱装置２００は、紙幣を金種別に振り分けて整理する紙幣整理機２０１と、紙幣整理機２０１からリジェクトされた紙幣の角折れを矯正する角折れ矯正機２５０とを備える。
【００５４】
紙幣整理機２０１は、底板上に積層した多数の紙幣の最下部から一枚ずつ分離して搬送路に繰出す給紙部２０２と、給紙部２０２から繰り出されてきた紙幣の角折れ片の有無、金種、真贋等を判定する紙幣識別部２０５と、紙幣識別部２０５により受け容れ可能と判定された紙幣を金種別に収容する紙幣収容部２２０と、搬送機構２３０と、制御手段２４０と、を概略備えている。
給紙部２０２は、紙幣を集積する底板２０２ａ、最下部の紙幣を繰出す給紙ローラ２０２ｂ、重送状態で繰り出された紙幣を分離する分離ローラ２０２ｃ等を備えている。
搬送機構２３０は、ベルト、ローラなどの搬送部材と、これらを駆動するモータなどを備えている。
紙幣識別部２０５が、給紙部２０２から繰り出されてきた紙幣が角折れ片を有する為に受け容れできない紙幣であると判定した場合には、制御手段２４０は搬送機構２３０を駆動してこの紙幣を角折れ矯正機２５０へ搬送する。
【００５５】
角折れ矯正機２５０は、紙幣識別部２０５により角折れ片があるために受け容れ不能と判定されたリジェクト紙幣を受け容れて角折れ片を矯正する手段であり、角折れ紙幣集積部（紙葉供給手段）２５１と、角折れ矯正装置１と、角折れ矯正後の紙幣を収容する収容部２６０と、搬送機構２７０と、制御手段２８０と、を概略備えている。
角折れ紙幣集積部２５１は、角折れ紙幣を集積する底板２５１ａ、最下部の角折れ紙幣を繰出す給紙ローラ２５１ｂ、重送状態で繰り出された角折れ紙幣を分離する分離ローラ２５１ｃ等を備えている。
搬送機構２７０は、ベルト、ローラなどの搬送部材と、これらを駆動するモータなどを備えている。
角折れ矯正装置１には、第一乃至第六の実施形態にて説明した何れかの角折れ矯正装置が配置される。制御手段２８０は、角折れ矯正装置１の搬送手段を制御して、紙幣を正方向と逆方向の双方向に往復搬送、或いはスイッチバック搬送して、紙幣の各角折れ片を矯正する。また、制御手段２８０は、搬送機構２７０を駆動して、角折れ矯正後の紙幣を収容部２６０へ搬送する。
収容部２６０内の角折れ矯正後の紙幣は、紙幣整理機２０１の給紙部２０２に再セットされることで、紙幣識別部２０５による識別を受けてから各紙幣収容部２２０に収容される。
上記各実施形態に示した角折れ矯正装置は紙幣整理機に代えて、各種自動販売機、両替機、金銭払出し機、その他の各種金銭取扱い装置を適用することができる。また、角折れ矯正装置は、紙幣に限らず、有価証券、チケット、投票用紙、封筒、その他種々の紙葉を取り扱う装置であってもよい。
【００５６】
［紙幣取扱装置による処理手順］
図１７（ａ）、（ｂ）は、紙幣取扱装置による角折れ紙幣の処理手順を示すフローチャートである。
図１７（ａ）は紙幣整理機２０１における処理手順を示している。
ステップＳ１では、給紙部２０２からの給紙を開始し、ステップＳ２では紙幣識別部２０５において給紙された紙幣が角折れ片を有した角折れ紙幣（リジェクト紙幣）であるか否かを判定し、角折れ紙幣である場合（ステップＳ２にてＹｅｓ）には紙幣を角折れ矯正機２５０へ搬送し（ステップＳ３）、角折れ紙幣でない場合（ステップＳ２にてＮｏ）には紙幣収容部２２０へ搬送する（ステップＳ４）。また、ステップＳ５において、給紙部２０２に処理するべき紙幣があるか否かを確認し、紙幣がある場合（ステップＳ５にてＹｅｓ）にはステップＳ１以降の処理を繰り返し、紙幣がない場合（ステップＳ５にてＮｏ）には処理を終了する。
【００５７】
図１７（ｂ）は角折れ矯正機２５０における処理手順を示している。角折れ矯正機２５０は、ステップＳ３にて紙幣整理機２０１から搬送された角折れ紙幣を処理する。
まず、角折れ紙幣集積部２５１に集積された角折れ紙幣を角折れ矯正装置１に一枚ずつ給紙する（ステップＳ１１）。
角折れ矯正装置１では、紙幣を正方向に搬送して紙幣後端部の角折れ片を矯正するステップＳ１２と、紙幣を逆方向に搬送して紙幣先端部の角折れ片を矯正するステップＳ１３とが実施される。また、角折れ矯正装置１の装置構成に応じ、必要があればスイッチバックによる紙幣の表裏反転後にステップＳ１２、Ｓ１３の処理が再度実施される。全ての角折れ片が矯正された角折れ矯正後の紙幣は収容部２６０に搬送され、収容される（ステップＳ１４）。
ステップＳ１５では、角折れ紙幣集積部２５１に処理するべき紙幣があるか否かを確認し、角折れ紙幣がある（ステップＳ１５にてＹｅｓ）場合にはステップＳ１１以降の処理を繰り返し、角折れ紙幣がない場合（ステップＳ１５にてＮｏ）には処理を終了する。
なお、ステップＳ１２、Ｓ１３の処理順は入れ替えて実施してもよい。
【００５８】
＜紙葉の角折れ矯正装置の適用例２＞
図１８は、本発明の一実施形態に係る角折れ矯正装置を適用する紙幣（紙葉）取扱装置の一例としての還流式紙幣処理装置の概略構成説明図である。
還流式紙幣処理装置３００は、正面側に紙幣入金口３０２及び紙幣返却口３０３を備えた筐体３０１と、筐体３０１内に配置された入金経路３１１、分岐経路３１２、３１３、出金経路３１４、及びリジェクト経路３１５と、紙幣入金口３０２から導入された紙幣の角折れを矯正する角折れ矯正装置１と、角折れ矯正装置１を通過した紙幣について欠損の有無、金種、真贋等を判定する紙幣識別部３０４と、各分岐経路３１２、３１３により導入された紙幣を夫々金種別に受け容れる還流紙幣庫３０５、３０６と、入金経路３１１、分岐経路３１２、３１３、出金経路３１４、及びリジェクト経路３１５に沿って紙幣を搬送するローラ、ベルト、モータ等から成る搬送駆動機構と、これらを制御する制御手段３２０等を概略備えている。
紙幣入金口３０２から一枚ずつ受け容れられた紙幣は、入金経路３１１を介して角折れ矯正装置１に搬送される。角折れ矯正装置１には、第一乃至第六の実施形態にて説明した何れかの角折れ矯正装置が配置される。制御手段３２０は、角折れ矯正装置１の搬送駆動機構を制御して、紙幣を正方向と逆方向の双方向に往復搬送、或いはスイッチバック搬送して、紙幣の各角折れ片を矯正する。還流式紙幣処理装置３００では、内部に設けた角折れ矯正装置１によって紙幣の角折れを矯正した後に紙幣を識別するため、紙幣の識別率が向上し、リジェクト紙幣を減少させることができる。
還流紙幣庫３０５、３０６は、入金方向と出金方向に双方向移動する給紙ローラ群等を備えている。
【００５９】
紙幣識別部３０４が、角折れ矯正装置１を通過した紙幣が受け容れできない紙幣であると判定した場合には、制御手段３２０は搬送駆動機構を制御してこの紙幣をリジェクト経路３１５から紙幣返却口３０３へ搬送する。また、紙幣識別部３０４が、角折れ矯正装置１を通過した紙幣が受け容れ可能な真正紙幣であると判定した場合には、制御手段３２０は搬送駆動機構を制御してこの紙幣を金種別に何れかの還流紙幣庫３０５、３０６に振り分ける。所定金種の出金命令を受け付けた場合には、制御手段３２０は、当該金種の紙幣を還流紙幣庫３０５、３０６から繰り出すと共に、搬送駆動機構を制御してこの紙幣を出金経路３１４から紙幣返却口３０３へ搬送する。
【００６０】
上記各実施形態に示した角折れ矯正装置は還流式紙幣処理装置に代えて、各種自動販売機、両替機、金銭払出し機、その他の各種金銭取扱い装置を適用することができる。また、角折れ矯正装置は、紙幣に限らず、有価証券、チケット、投票用紙、封筒、その他種々の紙葉を取り扱う装置であってもよい。
【００６１】
［還流式紙幣処理装置による処理手順］
図１９は、還流式紙幣処理装置による角折れ紙幣の処理手順を示すフローチャートである。
まず、還流式紙幣処理装置３００は、紙幣入金口３０２から紙幣を一枚ずつ受け容れて角折れ矯正装置１に搬送する（ステップＳ２１）。
角折れ矯正装置１では、角折れの有無に関わらず、紙幣を正方向に搬送して紙幣後端部の角折れ片を矯正するステップＳ２２と、紙幣を逆方向に搬送して紙幣先端部の角折れ片を矯正するステップＳ２３とが実施される。また、角折れ矯正装置１の装置構成に応じ、必要があればスイッチバックによる紙幣の表裏反転後にステップＳ２２、Ｓ２３の処理が再度実施される。角折れ矯正処理後の紙幣は紙幣識別部３０４に搬送される（ステップＳ２４）。
ステップＳ２５において、紙幣識別部３０４は、角折れ矯正装置１を通過した紙幣の一部欠損の有無、金種、真贋等を判定し、受け容れ可能な紙幣と判定した場合（ステップＳ２５にてＹｅｓ）には、紙幣を金種別に還流紙幣庫３０５、３０６の何れかへ搬送する（ステップＳ２６）。また、紙幣識別部３０４が受け容れ不能な紙幣（リジェクト紙幣）と判定した場合には、当該紙幣をリジェクト経路３１５から紙幣返却口３０３へ搬送する（ステップＳ２７）。
なお、ステップＳ２２、Ｓ２３の処理順は入れ替えて実施してもよい。
【００６２】
〔本発明の実施態様例と作用、効果のまとめ〕
＜第一の実施態様＞
第一の実施態様に係る紙葉の角折れ矯正装置１は、搬送される紙葉（紙幣１００）の一面に接する湾曲案内凸面（外周面）を備えた第一湾曲搬送ガイド部材（ローラ１０、２０、３０）と、湾曲案内凸面と協働して紙葉の通過を許容する湾曲路Ｇ１、Ｇ２、Ｇ３を形成しつつ該紙葉の他面をガイドする湾曲案内凹面を備えた第二湾曲搬送ガイド部材（外側ガイド部材５０、６０、７０）と、第二湾曲搬送ガイド部材の搬送方向の端部に設けられた角折れ矯正部５１ａ、６１ａ、６１ｂ、７１ａと、湾曲路内に導入した紙葉を湾曲路内で正方向と逆方向の双方向に搬送する搬送手段（ローラ１０、２０、３０）と、を備えたことを特徴とする。
【００６３】
紙葉（紙幣）の計数、分類・仕分け業務においては、作業の煩雑さの解消、効率化、不正防止等のセキュリティー性向上の為に自動化が望まれている。計数、分類・仕分けを支援する紙葉整理機（紙幣整理機）では角折れ紙葉（紙幣）はリジェクトし、これを作業員が手作業で修正し再計数、再分類・仕分けする必要がある。しかし、角折れ片を伸ばす作業は特に面倒であり効率の低下に繋がっているが、本態様によって自動化が可能となる。
本態様では、一端角隅部に角折れ片を有した紙葉を、湾曲した搬送路に沿って搬送するので、紙葉の搬送方向の端部に位置し他面側に折れた角折れ片を紙葉表面（他面）から離間させることが可能となる。従って、紙葉の他面をガイドする第二湾曲搬送ガイド部材に形成した角折れ矯正部によって、角折れ片の引っ掛け、掬い上げ、引き起こしが確実となり、全体として矯正が確実となる。
このように、紙葉の他面側に折れた角折れ片は、紙葉を、その他面側が凸状に湾曲するように変形させた状態で搬送することによって矯正を確実にできる。逆に、紙葉の一面側に折れた角折れ片を確実に矯正するには、紙葉を、その一面側が凸状に湾曲するように変形させた状態で搬送すればよい。つまり、紙葉の各面側に折れた角折れ片の全てを確実に矯正するには、紙葉が、一面側に凸となる姿勢と他面側に凸となる姿勢の双方をとるようにすればよい。これを実現するためには、例えば、第一湾曲搬送ガイド部材を複数個配置して、湾曲路から成る搬送経路が全体としてＳ字状となるようにするか、単一の第一湾曲搬送ガイド部材内で紙葉の表裏を反転させた状態で搬送するようにすればよい。搬送経路が全体としてＳ字状となるようにすれば、一度の往復搬送で表裏両面の角折れ片をローラ周面から離間する方向へ起こして矯正することが可能となる。
【００６４】
本実施態様に示す角折れ矯正装置では、紙葉を正方向に搬送したときに紙葉の後端部（搬送方向の上流側端部）に位置する角折れ片が対応する角折れ矯正部によって矯正を受け、紙葉を逆方向に搬送したときに紙葉の先端部（搬送方向の上流側端部）に位置する角折れ片が対応する角折れ矯正部によって矯正を受ける。即ち、一度の往復搬送で、紙葉の先端、後端に位置する角折れ片の双方を矯正できる。
ここで、第一湾曲搬送ガイド部材は、回転するローラであってもよいし、非回転のガイド部材であってもよい（例：湾曲した板状の内側ガイド部材１５）。第一湾曲搬送ガイド部材を回転するローラとした場合には、第一湾曲搬送ガイド部材を搬送手段と兼用できる。
角折れ矯正部は、種々の形状とすることができる。例えば、平面視で遊端側に向けて幅が漸減するテーパー状のエッジ部からなる角折れ矯正部としてもよく、この場合は平面視で直線状のエッジ部としてもよいし、内側へ凹状に湾曲して延びるエッジ部、或いは外側に凸状に湾曲して延びるエッジ部としてもよい。また、ブラシやスクレーパを角折れ矯正部としてもよい。
【００６５】
本実施態様に示す角折れ矯正装置は、協働して湾曲搬送路を形成する第一及び第二湾曲搬送ガイド部材と、第二湾曲ガイド部材の搬送方向の端部に形成した角折れ矯正部とを備えるので、角折れ矯正装置は部品点数が少なく、構成がシンプルであり、小型化、簡易構造化、低コスト化が可能でありながら、表裏両面の全ての角折れ片を矯正することができる。
【００６６】
＜第二の実施態様＞
第二の実施態様に係る紙葉の角折れ矯正装置１において、第一湾曲搬送ガイド部材は、一個、又は並行に配置された複数の回転自在なローラ１０、２０、３０であり、該ローラを回転駆動することにより紙葉（紙幣）を正方向と逆方向の双方向に搬送することを特徴とする。
本態様によれば、第一湾曲搬送ガイド部材を回転自在且つ駆動可能なローラとしたので、第一湾曲搬送ガイド部材を搬送手段と兼用でき、部品点数を削減できる。
【００６７】
＜第三の実施態様＞
第三の実施態様に係る紙葉の角折れ矯正装置１において、第一湾曲搬送ガイド部材（内側ガイド部材１５）は、回転しないことを特徴とする。
第一湾曲搬送ガイド部材は湾曲案内凸面を有し、第二湾曲搬送ガイド部材と共に紙葉を湾曲させた姿勢で搬送する湾曲路を形成する部材であり、円筒状（円柱状）や半円筒状の部材とすることができる。また、湾曲案内凸面の湾曲形状（紙葉の搬送方向と直交する方向における断面として現れる形状）を真円以外の形状としてもよい。
第一湾曲搬送ガイド部材を非回転の部材とした場合には、第一湾曲搬送ガイド部材にも、その搬送方向の端部又は中間部、或いはその双方に角折れ矯正部１１ａ〜１１ｄを設けることができ、紙葉の一面側（内側）に折れた角折れ片も補助的に矯正することが可能となる。
【００６８】
＜第四の実施態様＞
第四の実施態様に係る紙葉の角折れ矯正装置１において、第一湾曲搬送ガイド部材（内側ガイド部材１５）は、板状部材であることを特徴とする。
第一湾曲搬送ガイド部材を板状とすることによって、第一湾曲搬送ガイド部材の内側に中空状の空間を形成することができ、この空間を有効活用することにより、装置の小型化を図れる。
【００６９】
＜第五の実施態様＞
第五の実施態様に係る紙葉の角折れ矯正装置１は、回転軸１０ａ、２０ａ、３０ａが並行となるように並列に配置された３個の第一湾曲搬送ガイド部材（ローラ１０、２０、３０）と、各第一湾曲搬送ガイド部材に配置された第二湾曲搬送ガイド部材（外側ガイド部材５０、６０、７０）と、を備え、搬送方向両端に位置する２個の第一湾曲搬送ガイド部材（ローラ１０、３０）に夫々配置された各第二湾曲搬送ガイド部材（外側ガイド部材５０、７０）は搬送方向の外側端縁に角折れ矯正部５１ａ、７１ａ、を夫々備え、中央に位置する第一湾曲搬送ガイド部材（ローラ２０）に配置された第二湾曲搬送ガイド部材（外側ガイド部材６０）は搬送方向の両端縁に角折れ矯正部６１ａ、６１ｂを夫々備えていることを特徴とする。
本態様に係る角折れ矯正装置は、主として第一の実施形態に示されている。本態様においては、３個の第一湾曲搬送ガイド部材を並列に配置したので、湾曲路によってＳ字状の搬送経路を形成することができ、一度の往復搬送で紙葉の表裏両面の角折れを矯正することができる。
【００７０】
本態様の角折れ矯正装置が備える角折れ矯正部は、第二湾曲搬送ガイド部材の搬送方向各端縁に設けたテーパー状のエッジ部としてもよいし、ブラシ、或いはスクレーパにより構成した角折れ矯正部としてもよい。
なお、本例において、第一湾曲搬送ガイド部材は、回転するローラであってもよいし、非回転の部材であってもよい。
【００７１】
＜第六の実施態様＞
第六の実施態様に係る紙葉の角折れ矯正装置１は、回転軸１０ａ、３０ａが並行となるように並列に配置された２個の第一湾曲搬送ガイド部材（ローラ１０、３０）と、各第一湾曲搬送ガイド部材に配置された第二湾曲搬送ガイド部材（外側ガイド部材５０、７０）と、を備え、各第一湾曲搬送ガイド部材に配置された各第二湾曲搬送ガイド部材は搬送方向両端部に角折れ矯正部５１ａ、５１ｂ、７１ａ、７１ｂを夫々備えていることを特徴とする。
本態様に係る角折れ矯正装置は、主として第二の実施形態に示されている。本例においては、２個の第一湾曲搬送ガイド部材を並列に配置したので、湾曲路によってＳ字状の搬送経路を形成することができ、一度の往復搬送で紙葉の表裏両面の角折れを矯正することができる。また、２つの第二湾曲搬送ガイド部材が搬送方向両端部に夫々角折れ矯正部を備えたことで、一度の往復搬送で紙葉の先端後端の角折れを矯正することができる。
【００７２】
＜第七の実施態様＞
第七の実施態様に係る紙葉の角折れ矯正装置１は、第一湾曲搬送ガイド部材（内側ガイド部材１５）に設けた開口を介して湾曲路内の紙葉の一面と接触する搬送手段（搬送ローラ１３）を備え、第一湾曲搬送ガイド部材は搬送方向両端縁に角折れ矯正部１１ａ、１１ｂを備えていることを特徴とする。
本態様は、主として第四の実施形態に示されている。本態様においては、第一湾曲搬送ガイド部材にも角折れ矯正部を設けたものである。上記角折れ矯正部を設けることによって、一面側に凸状に変形した紙葉の他面側にある角折れ片を補助的に矯正することができる。
【００７３】
＜第八の実施態様＞
第八の実施態様に係る紙葉の角折れ矯正装置１において、角折れ矯正部５１ａ、６１ａ、６１ｂ、７１ａ…は、遊端側へ向かう程幅がテーパー状に漸減するエッジ部であることを特徴とする。
本態様によれば、エッジ部により、角折れ片を引っ掛けて徐々に引き起こすことができる。
【００７４】
＜第九の実施態様＞
第九の実施態様に係る紙葉の角折れ矯正装置１において、角折れ矯正部は、湾曲搬送ガイド部材（ローラ１０）の湾曲路形成面（外周面）に向けて突出する複数の突起５４ａ、５５ａを備えたブラシ５４、５５であることを特徴とする。
本態様は、主として第五の実施形態に示されている。本態様によれば、複数の突起により、角折れ片を引っ掛けて引き起こすことができる。
【００７５】
＜第十の実施態様＞
第十の実施態様に係る紙葉の角折れ矯正装置１において、角折れ矯正部は、湾曲搬送ガイド部材（ローラ１０）の湾曲路形成面（外周面）に向けて突出する突出片（スクレーパ５７、５７）であることを特徴とする。
本態様は、主として第六の実施形態に示されている。本態様によれば、複数の突出片により、角折れ片を引っ掛けて引き起こすことができる。
【００７６】
＜第十一の実施態様＞
第十一の実施態様は、紙葉の角折れ矯正装置１による紙葉の角折れ矯正方法であって、湾曲路内Ｇ１、Ｇ２、Ｇ３に紙葉（紙幣１００）を導入し、該紙葉を一方向（正方向）に搬送して該紙葉の一端（後端）にある角折れ片１０３、１０４を該角折れ片に対応する角折れ矯正部５１ａ、６１ａにより矯正してから、紙葉を逆方向に搬送して該紙葉の他端（先端）にある角折れ片１０１、１０２を該角折れ片に対応する他の角折れ矯正部６１ｂ、７１ａにより矯正することを特徴とする。
本態様によれば、一回の往復搬送で紙葉の搬送方向両端にある角折れ片を確実に矯正することが可能である。
【００７７】
＜第十二の実施態様＞
第十二の実施態様に係る紙葉取扱装置（紙幣取扱装置２００）は、紙葉の角折れ矯正装置１と、湾曲路Ｇ１、Ｇ２、Ｇ３内に紙葉（紙幣１００）を供給する紙葉供給手段（角折れ紙幣集積部）と、湾曲路内に供給された紙葉を正方向と逆方向の双方向へ搬送するように搬送手段（ローラ１０、２０、３０）を駆動する駆動手段を制御する制御手段２８０と、を備えたことを特徴とする。
各実施態様に係る角折れ矯正装置を紙葉取扱装置に備えることで、紙葉の角折れ矯正を含め、計数、分類・仕分けを自動化することができる。また、角折れ矯正による矯正後の紙葉に対して計数、分類・仕分けを行うようにすれば、紙葉の識別率の向上及びリジェクトされる紙葉の減少を図ることができ、作業効率が向上する。
【符号の説明】
【００７８】
Ｇ１、Ｇ２、Ｇ３…湾曲路、Ｇ４…受け渡し搬送路、１００…紙幣（紙葉）、１０１〜１０４…角折れ片、１…角折れ矯正装置、１０、２０、３０…ローラ（第一湾曲搬送ガイド部材、搬送手段）、１０ａ、２０ａ、３０ａ…回転軸、１１ａ〜１１ｄ…角折れ矯正部、１２、２２、３２…補助ローラ、１３…搬送ローラ（搬送手段）、１３ａ…回転軸、１４…開口、１５…内側ガイド部材（第一湾曲搬送ガイド部材）、５０、６０、７０…外側ガイド部材（第二湾曲搬送ガイド部材）、５０ａ…本体、５１ａ、５１ｂ、６１ａ、６１ｂ、７１ａ、７１ｂ…角折れ矯正部、５２、７２…受け渡しガイド部、５３、６３、７３…軸、５４、５５…ブラシ（角折れ矯正部）、５４ａ、５５ａ…突起、５６、５７…スクレーパ（角折れ矯正部）、５６ａ、５７ａ…先端部、２００…紙幣取扱装置（紙葉取扱装置）、２０１…紙幣整理機、２０２…給紙部、２０２ａ…底板、２０２ｂ…給紙ローラ、２０２ｃ…分離ローラ、２０５…紙幣識別部、２２０…紙幣収容部、２３０…搬送機構、２４０…制御手段、２５０…角折れ矯正機、２５１…紙幣集積部、２５１ａ…底板、２５１ｂ…給紙ローラ、２５１ｃ…分離ローラ、２６０…収容部、２７０…搬送機構、２８０…制御手段、３００…還流式紙幣処理装置（紙葉取扱装置）、３０１…筐体、３０２…紙幣入金口、３０３…紙幣返却口、３０４…紙幣識別部、３０５、３０６…還流紙幣庫、３１１…入金経路、３１２、３１３…分岐経路、３１４…出金経路、３１５…リジェクト経路、３２０…制御手段
【図１】
2019014592.tif 000003
【図２】
2019014592.tif 000004
【図３】
2019014592.tif 000005
【図４】
2019014592.tif 000006
【図５】
2019014592.tif 000007
【図６】
2019014592.tif 000008
【図７】
2019014592.tif 000009
【図８】
2019014592.tif 000010
【図９】
2019014592.tif 000011
【図１０】
2019014592.tif 000012
【図１１】
2019014592.tif 000013
【図１２】
2019014592.tif 000014
【図１３】
2019014592.tif 000015
【図１４】
2019014592.tif 000016
【図１５】
2019014592.tif 000017
【図１６】
2019014592.tif 000018
【図１７】
2019014592.tif 000019
【図１８】
2019014592.tif 000020
【図１９】
2019014592.tif 000021